(57)【要約】【課題】容器外面の汚染（従来の容器に生じていた密封材漏出による汚染）、入浴剤の固結、入浴剤に含まれる色素の褪色、香りの強度の低下等の問題が生じない入浴剤用金属製缶容器の提供。【解決手段】缶胴１０および端板１４で形成され、缶胴の上端縁１２と端板の周縁１６とが巻き締めによって密封結合され、入浴剤を収容する金属製缶容器である。缶胴と端板との巻き締め結合部分に密封材を用いていない。巻き締め結合部分の密封度が、条件「内容物のない空の状態で密封した前記缶容器を水中に置き、前記缶容器に設けた試験用空気注入口から前記缶容器内に圧力０．０２ＭＰａの空気を１分間注入した時に検出される前記缶容器からの漏洩空気量が２０ｍＬ以下である」を満たす。【選択図】図１
2006256677.tif 000002
【特許請求の範囲】
【請求項１】
缶胴および端板で形成され、前記缶胴の上端縁と前記端板の周縁とが巻き締めによって密着結合され、入浴剤を収容して使用する金属製缶容器において、
前記缶胴の上端縁と前記端板の周縁との巻き締め結合部分が密封材を用いることなく形成されており、
前記巻き締めは、結合すべき両板材の端縁をＵ字形状の鉤形になし、その鉤形形状片の先端側部分を互いに相手側のＵ字形状内に入れ込んで噛み合わせ、その状態で前記両板材のＵ字形状部分を両側から加圧して密着させたものであり、
前記巻き締め結合部分の密封度が以下の条件、すなわち、
内容物のない空の状態で密封した前記缶容器を水中に置き、前記缶容器の缶口から前記缶容器内に圧力０．０２ＭＰａの空気を１分間注入し、その間に検出される前記缶容器からの漏洩空気量が２０ｍＬ以下であるという条件を満たす入浴剤用金属製缶容器。
【請求項２】
前記端板が天板であることを特徴とする請求項１に記載された入浴剤用金属製缶容器。
【請求項３】
前記端板が、天板および地板であることを特徴とする請求項１に記載された入浴剤用金属製缶容器。
【発明の詳細な説明】
【技術分野】
【０００１】
本発明は、入浴剤を収容する金属製缶容器に係わり、特に金属製缶容器の端板（天板および／または地板）と缶胴との密封結合関係に関するものである。
【背景技術】
【０００２】
一般に使用される金属缶は、端板の周縁と缶胴の上端縁とを巻き締めによって密封結合して形成しており、その際、金属缶の内容物が外部に漏出しないように、また、外気が金属缶内に進入しないように、両結合部材間に密封材（シーリングコンパウンド：エラストマー等）を介在させるのが普通である（例えば、特許文献１、２参照）。
【特許文献１】特開昭６１−１５２５５０号公報
【特許文献２】特開平５−１５９３４号公報
【０００３】
このような金属缶を、入浴剤用容器として使用した場合、入浴剤に含まれる香料成分等によっては、これが密封材と反応して密封材を流動化させ、密封材が容器外に漏出して容器外面を汚すという問題があった。その対策として、密封材の使用を止めると、密封の不完全な金属缶の巻き締め部から大気中の酸素、水分が容器内に進入して、入浴剤の固結、入浴剤に含まれる色素の褪色、香りの強度の低下等の問題が生じる。
【発明の開示】
【発明が解決しようとする課題】
【０００４】
このような技術的背景の下で、本発明者等は、密封材を用いない金属缶が入浴剤用容器として果たして不適切なのかという問題を提起した。
【課題を解決するための手段】
【０００５】
かかる課題認識の下で、本発明者等は、以下の金属製缶容器が入浴剤用として適することを見い出した。
缶胴および端板で形成され、前記缶胴の上端縁と前記端板の周縁とが巻き締めによって密着結合され、入浴剤を収容して使用する金属製缶容器において、
前記缶胴の上端縁と前記端板の周縁との巻き締め結合部分が密封材を用いることなく形成されており、
前記巻き締めは、結合すべき両板材の端縁をＵ字形状の鉤形になし、その鉤形形状片の先端側部分を互いに相手側のＵ字形状内に入れ込んで噛み合わせ、その状態で前記両板材のＵ字形状部分を両側から加圧して密着させたものであり、
前記巻き締め結合部分の密封度が以下の条件、すなわち、
内容物のない空の状態で密封した前記缶容器を水中に置き、前記缶容器の缶口から前記缶容器内に圧力０．０２ＭＰａの空気を１分間注入し、その間に検出される前記缶容器からの漏洩空気量が２０ｍＬ以下であるという条件を満たす入浴剤用金属製缶容器。
【０００６】
巻き締め結合部分の密封度は、缶胴の上端縁と、端板の周縁との巻き締め圧力を変えることによって適宜調整可能である。また、同じ巻き締め圧力であっても、いずれも金属材料である缶胴と端板の材質によって、巻き締め結合部分の密封度が変化し、その材質の組み合わせとしては、例えば、鋼板と鋼板、鋼板とアルミニウム板、アルミニウム板とアルミニウム板のように種々の材料が用いられる。したがって、巻き締め結合部分の密封度を規定するには、前記のように漏洩空気量を用いるのが適切である。そして、前記試験条件の下で、漏洩空気量が２０ｍＬ以下であれば、密封材を用いない金属製缶容器内に収容した入浴剤を十分安定に維持できることが見い出された。すなわち、漏洩空気量が２０ｍＬ以下であれば、缶容器内への空気の進入が十分に抑制され、また、缶胴と端板と密封材を用いない巻き締め結合関係により、密封材を用いた場合に生じがちな、入浴剤に含まれる原料成分等との化学反応による密封材の流動化と、それに伴う密封材の漏出による缶容器外面の汚染という不具合を防ぐことができる。
【実施例】
【０００７】
以下、本発明の実施例について説明する。
図１は、缶胴１０の上端縁部分と、端板（天板または地板）１４の周縁部分とを、密封材を用いることなく巻き締めによって密封結合した状態を示している。この巻き締め構造では、缶胴１０の上端縁部分１２をＵ字形状に折曲し、端板１４の周縁部分１６をＵ字形状に折曲し、これらＵ字形鉤状部分の先端側を互いに噛み合わせた状態で、５層をなす板材を両側から加圧密着させている。この加圧密着加工は、一対の対向する加圧ローラで行なわれ、そのための加工装置は周知である。ここで、巻き締め状態にある５層の板材全体の厚さが「Ｔ」であるとして、同一板材を用いた時、「Ｔ」が小さくなるほど、巻き締め力が大きく、したがって、巻き締め結合部分の密封度が高くなり、逆に、「Ｔ」が大きくなるほど、巻き締め力が小さく、したがって、巻き締め結合部分の密封度が低くなる。ただし、「Ｔ」を必要以上に小さくすると、加圧ローラによる板材の減厚率（圧下率）が過大になり、板材のＵ字形折曲部（折曲縁部分）にひび割れ（クラック）が生じるため、密封度を上げるために、過大な加圧加工を行なうことはできない。なお、適切なＴ寸法は、缶素材である板材の厚さによって異なるが、入浴剤の容器として用いられる缶素材用板材（例えば、Ａ．極薄錫めっき鋼板（缶胴用＝厚さ０．２２ｍｍ）とブリキ板（端板用＝厚さ０．２１ｍｍ）の組合せ、または、Ｂ．極薄錫めっき鋼板（缶胴用＝厚さ０．２２ｍｍ）とアルミニウム板（端板用＝厚さ０．２５ｍｍ）の組合せがある）では、Ｔ＝約１．２〜１．４ｍｍ程度（前記Ａの場合のＴ＝約１．２〜１．３５、前記Ｂの場合のＴ＝１．３〜１．４）が示される。
【０００８】
試験（入浴剤に及ぼす密封度の影響を確認する試験）
１．入浴剤に関する説明：試験に用いた入浴剤の組成を表１に示す。炭酸水素ナトリウムを含む粉末入浴剤で、色素（例えば、青色１号）が褪色する現象は、往々にして見られる。この褪色は、製剤中および保存中に入浴剤に混入した水分によって炭酸水素ナトリウムが溶解し、入浴剤が塩基性になるために起こる現象であると考えられる。また、色素の褪色と、外部から缶容器内に進入する空気量との間には密接な関係があると思われる。
さらに、缶容器内に空気が進入すると、粉末入浴剤が固結し、あるいは、粉末入浴剤の有する本来の香りが損なわれるという不具合が生じがちである。
【０００９】
【表１】
2006256677.tif 000003
【００１０】
２．密封度の異なる試験用缶容器の準備
缶容器内への外気の進入し易さの程度（すなわち、密封度）は、缶容器内に入れた空気の漏洩量を調べることによって確認できる。そこで、空気漏洩量のみが異なる複数の同種缶容器を用いて、入浴剤の変質度合いを調べることにした。
（ａ）試験用缶容器の細目：缶胴材として極薄錫めっき鋼板（ＬＴＳ＝Ｌｏｗ  Ｔｉｎ  Ｓｔｅｅｌ）（０．２２ｍｍ）を用い、天板材（天側の端板）としてブリキ板（０．２１ｍｍ）を用い、また、地板材（地側の端板）（０．２５ｍｍ）としてアルミニウム材を用いて、同形、同寸なるも密封度の異なる複数の缶容器を作成した。缶容器は、横断面長円形（または楕円形）であり、高さ＝１４８ｍｍ、長円形の長径＝１１６ｍｍ、短径＝８３ｍｍであった。なお、これら缶内面に相当する素材板表面には、予めエポキシフェノール系樹脂皮膜が被着されたものを用いた。天側および地側の巻き締め結合部分の厚さ「Ｔ」は、それぞれ、１．２５〜１．３２ｍｍ、１．３１〜１．４０ｍｍであった。
（ｂ）空気漏洩量の確定
ア．空気供給源であるコンプレッサーに接続したチューブにレギュレータを取り付けて、チューブを通じて圧力０．０２ＭＰａの空気を缶容器に供給できるようにした。缶容器に対するチューブの接続は、チューブの先端にゴム栓を付し、ゴム栓を缶容器の天側端板に設けた缶口に嵌入して、密封用パテでゴム栓と缶口との嵌合部を封止し、治具を用いてゴム栓を固定することによって行なった。
イ．高さ＝４００ｍｍ、幅＝４００ｍｍ、奥行＝２５０ｍｍの水槽を用意し、これに水を満たし、前記チューブ付き缶容器２つを、天地逆向きにして水槽内に浸漬した。
ウ．缶容器の各々について、チューブを通じて圧力０．０２ＭＰａの空気を１分間供給し、その間、天地両側の巻き締め結合部分から水中に漏出した空気を捕集した。このようにして、同時に２つずつ、缶容器の空気漏洩量を調べた。
エ．以上により、空気漏洩量の異なる以下の６種類の缶容器を特定して準備した。
６種類の缶容器（空気漏洩量で示す）：０ｍＬ、１０ｍＬ、２０ｍＬ、５０ｍＬ、１００ｍＬ、および、５００ｍＬ。
【００１１】
３．試験Ｉ（粉末入浴剤の固結、香り変化について）
用意した前記６種類の缶容器に、それぞれ、表１に示す粉末入浴剤を６分目まで装入して密閉し、温度４０℃、湿度７５％ＲＨで１ケ月間維持した。１ケ月後、内容物である入浴剤の（ａ）固結状況、および、（ｂ）香りの強度を官能評価した。（ａ）固結状況については、空気漏洩量が１００ｍＬを超える缶容器を用いると、固結が認められた。また、（ｂ）香りの強度については、空気漏洩量５０ｍＬおよび１００ｍＬの缶容器では、若干の香りの強度の低下が確認され、空気漏洩量５００ｍＬの缶容器では、著しい香りの強度の低下が確認された。これらの検査結果を、表２に示す。
【００１２】
【表２】
2006256677.tif 000004
＊注１（固結状況）：○印＝初期状態と同等、△＝若干の固結あり、
×＝固結あり
＊注２（香りの強度）：○印＝初期状態と同等、△＝若干の香りの強度の低下あり、
×＝著しい香りの強度の低下あり
【００１３】
４．試験ＩＩ（青色１号の褪色変化）
（ａ）前記試験Ｉで用いた６種類の缶容器と同等のものを用意し、これに、表１に示す組成の入浴剤を６分目まで装入して密閉し、温度５０℃で２週間維持した。
（ｂ）２週間後に、内容物である入浴剤１ｇを、それぞれ精製水１００ｍＬに溶解して６種類の缶容器に対応する６種類の試料を用意し、青色１号の最大吸収波長である６３０ｎｍでの吸光度（ＡＢＳ）を測定した。
（ｃ）結果は、空気漏洩量が２０ｍＬ以下の缶容器を用いた場合、青色１号の褪色が空気漏洩量０ｍＬの缶容器を用いた場合とほぼ同等であり、入浴剤用として空気漏洩量＝２０ｍＬ以下の缶容器を使用可能であることを確認した。
試験結果を、図２のグラフに示す。図中、上から順に、空気漏洩量０ｍＬ、１０ｍＬ、２０ｍＬ、５０ｍＬ、１００ｍＬ、５００ｍＬの缶容器を用いた場合の青色１号の経時的変化を示す直線である。
【００１４】
以上により、空気漏洩量が２０ｍＬ以下の缶容器であれば、入浴剤の固結変化、香りの強度の変化、青色１号の褪色変化に関する確認検査のいずれの項目についても、入浴剤用として十分使用に耐えることを確認できた。
【図面の簡単な説明】
【００１５】
【図１】缶胴と端板との巻き締めによる密封結合関係を示す。
【図２】缶容器の密封度によって異なる青色１号の褪色特性を示すグラフ。
【符号の説明】
【００１６】
１０  缶胴
１２  上端縁部分
１４  端板（天板または地板）
１６  周縁部分
Ｔ  巻き締め結合部分の厚さ
【図１】
2006256677.tif 000005
【図２】
2006256677.tif 000006